(57)【要約】【課題】異なる方向からの衝撃に対しても同じように十分な強度を備えた段ボール製の梱包材を提供すること。【解決手段】本発明にかかる段ボール製の梱包材は、段ボール板に形成された少なくとも１つの主平面部分を折り重ねて形成される梱包材において、前記主平面部分の少なくとも１部分を、当該段ボール板の中芯部の波形の方向と４５度で交差する折り曲げ線で折り曲げて前記主平面部分に重ねることによって、前記主平面部分を補強する補強部を形成した。前記補強部は、少なくとも１本の折り曲げ線によって少なくとも２層が重ねられた構造としてもよい。【選択図】      図１
2009255975.tif 000002
【特許請求の範囲】
【請求項１】
段ボール板に形成された少なくとも１つの主平面部分を折り重ねて形成される梱包材において、
前記主平面部分の少なくとも１部分に延設された補強片を、当該段ボール板の中芯部の波形の方向と鋭角で交差する折り曲げ線で折り曲げて前記主平面部分に重ねることによって、前記主平面部分を補強する補強部を形成したことを特徴とする段ボール製の梱包材。
【請求項２】
前記折り曲げ線は、当該段ボール板の中芯部の波形の方向とほぼ４５度で交差させたことを特徴とする請求項１に記載の段ボール製の梱包材。
【請求項３】
前記梱包材は、互いに隣接する主平面部分を複数有し、これらの主平面部分を折り重ねることによって形成されるとともに、
前記補強片は、少なくとも１つの主平面部分の側辺部に延設されていることを特徴とする請求項１、２の何れか１項に記載の段ボール製の梱包材。
【請求項４】
前記主平面部分を複数有し、これらの主平面部分を折り重ねることによって形成される梱包材であり、
前記補強片は、連続する複数の主平面部分の隅部に延設されていることを特徴とする請求項１、２の何れか１項に記載の段ボール製の梱包材。
【請求項５】
前記主平面部分と前記補強片には、段ボール板を貫通した開口部が形成され、前記主平面部分に形成された開口部と前記補強片に形成された開口部とは対応する位置に形成されていることを特徴とする請求項１〜４の何れか１項に記載の段ボール製の梱包材。
【請求項６】
前記補強片には少なくとも１本の折り曲げ線が設けられて、前記補強片は前記折り曲げ線によって折り曲げられて少なくとも２層構造となって、前記主平面部分に重ねられていることを特徴とする請求項１〜５の何れか１項に記載の段ボール製の梱包材。
【請求項７】
少なくとも２層構造に折り曲げられた前記補強片の少なくとも１層には、開口部が形成されていることを特徴とする請求項６に記載の段ボール製の梱包材。
【発明の詳細な説明】
【技術分野】
【０００１】
本発明は、製品を梱包する場合に、製品と梱包用の箱や枠等との間の空間に配設し、前記製品を前記梱包用の箱や枠等の空間内に保持するための段ボール製の梱包材に関するものである。
【背景技術】
【０００２】
従来より、この種の梱包材としては、段ボール板を複数枚重ねて開口部を設け、この開口部に製品を挿入した状態で梱包用の箱や枠の内部に収納することが行われている。
【０００３】
このような梱包材で製品を箱や枠の内部空間内に保持することによって、搬送等により前記箱や枠が衝撃を受けた際にも、その衝撃が前記梱包材で吸収されるので、前記製品が破損することを防止することができる。
【０００４】
このような梱包材は、図２３に示したように、一枚の板状の段ボールに、折り曲げ線を介して隣接する複数の平面部101を形成し、各平面部101に対応する位置に開口部102を設け、前記平面部101を前記折り曲げ線で折り重ねることによって、前記各開口部102が対応する位置に開口するように構成されている。（例えば、特許文献１参照。）
このように折り重ね形成された梱包材の前記開口部に製品を挿入した状態で、収納用の箱に収納することによって、前記製品と前記箱との間には折り重ね形成された段ボールが介在することになり、この段ボールが潰れて変形しないかぎり、前記製品は前記箱内に安全に保持されるのである。
【特許文献１】特開平１０−２１１９６７号公報
【発明の開示】
【発明が解決しようとする課題】
【０００５】
段ボールは、波形形状の中芯部にライナーを張り合わせたものであり、前記中芯部の波形に垂直な方向（これを「段ボールの目の方向」という。）に対しては、十分な強度が確保されるが、前記中芯部の波形と平行な方向（これを「段ボールの目に対して垂直な方向」という。）に対しては潰れやすいため、十分な強度が確保されないという特性がある。
【０００６】
このため、上述したような１枚の段ボールを折り重ねて形成した梱包材は、当該梱包材を構成する各平面部は、全て目の方向が同じとなり、目の方向の衝撃は十分に吸収できるが、目と垂直な方向の衝撃は十分に吸収できず、衝撃を吸収できる強度が、方向によって著しく異なるといった不具合があった。
【０００７】
そこで、本発明は、異なる方向からの衝撃に対しても同じように十分な強度を備えた梱包材を提供することを目的としてなされたものである。
【課題を解決するための手段】
【０００８】
本発明にかかる段ボール製の梱包材の請求項１は、
段ボール板に形成された少なくとも１つの主平面部分を折り重ねて形成される梱包材において、
前記主平面部分の少なくとも１部分に延設された補強片を、当該段ボール板の中芯部の波形の方向と鋭角で交差する折り曲げ線で折り曲げて前記主平面部分に重ねることによって、前記主平面部分を補強する補強部を形成したことを特徴とする。
【０００９】
請求項２では、
前記折り曲げ線は、当該段ボール板の中芯部の波形の方向とほぼ４５度で交差させた。
【００１０】
請求項３では、
前記梱包材は、前記主平面部分を複数有し、これらの主平面部分を折り重ねることによって形成されるとともに、
前記補強片は、少なくとも１つの主平面部分の側辺部に延設されている。
【００１１】
請求項４では、
前記主平面部分を複数有し、これらの主平面部分を折り重ねることによって形成される梱包材であり、
前記補強片は、連続する複数の主平面部分の隅部に延設されている。
【００１２】
請求項５では、
前記主平面部分と前記補強片には、段ボール板を貫通した開口部が形成され、前記主平面部分に形成された開口部と前記補強片に形成された開口部とは対応する位置に形成されている。
【００１３】
請求項６では、
前記補強片には少なくとも１本の折り曲げ線が設けられて、前記補強片は前記折り曲げ線によって折り曲げられて少なくとも２層構造となって、前記主平面部分に重ねられている。
【００１４】
請求項７では、
請求項６において少なくとも２層構造に折り曲げられた前記補強片の少なくとも１層には、開口部が形成されている。
【発明の効果】
【００１５】
本発明にかかる請求項１の段ボール製の梱包材によれば、
主平面部分の少なくとも１部分に延設された補強片を、当該段ボール板の中芯部の波形の方向と鋭角で交差する折り曲げ線で折り曲げて前記主平面部分に重ねることによって、前記主平面部分を補強する補強部を形成したので、前記補強部においては、異なる方向からの衝撃に対する強度が得られる。
【００１６】
請求項２によれば、
前記折り曲げ線は、当該段ボール板の中芯部の波形の方向とほぼ４５度で交差させたので、９０度の異なる方向からの衝撃に対する十分な強度が得られる。
【００１７】
請求項３によれば、
前記梱包材は、前記主平面部分を複数有し、これらの主平面部分を折り重ねることによって形成されるとともに、
前記補強片は、少なくとも１つの主平面部分の側辺部に延設されているので、折り重ねたときに十分な強度を有する補強部を形成することができる。
【００１８】
請求項４によれば、
前記主平面部分を複数有し、これらの主平面部分を折り重ねることによって形成される梱包材であり、
前記補強片は、連続する複数の主平面部分の隅部に延設されているので、広い段ボールから無駄となる部分を少なく、上記効果の得られる梱包材を得ることができる。
【００１９】
請求項５によれば、
前記主平面部分と前記補強片には、対応する位置に段ボール板を貫通した開口部が形成されているので、前記開口部に挿入した製品の周囲が補強されることになり、優れた中抜き梱包材を得ることができる。
【００２０】
請求項６によれば、
前記補強片は、少なくとも１本の折り曲げ線が設けられて、少なくとも２層構造に折り曲げられるので、前記１つの主平面部分と重ねられることによって、少なくとも３層構造に重ねられるので、十分な補強効果が得られる。
【００２１】
請求項７では、
請求項６において少なくとも２層に形成された前記補強片の少なくとも１層には、開口部が形成されているので、十分な補強効果の得られる底付き梱包材が得られる。
【発明を実施するための最良の形態】
【００２２】
以下に、本発明にかかる段ボール製の梱包材を、その実施の形態を示した図面に基づいて詳細に説明する。
【００２３】
図１は、本願発明にかかる段ボール製の梱包材の基本構造を説明するための説明図である。
図１の（Ａ）において、１は段ボールであり、中芯部の波形形状は矢印で示したように、図中、例えば縦方向に形成されている。前記段ボール１は、例えば、第１の主平面部11と第２の主平面部12とがＬ字型を形成するように打ち抜き形成されている。
【００２４】
前記段ボール１の中芯部の波形の方向と４５度の角をなす斜めの折り曲げ線Ａで、前記段ボール１を折り曲げて、前記第１の主平面部11と第２の主平面部12とを折り重ねて、図１の（Ｂ）に示したような２層構造の段ボール製の梱包材２を形成する。このようにして形成した梱包材２においては、２層構造を形成する第１の主平面部11における中芯部の波形の方向と、第２の主平面部12における中芯部の波形の方向とが垂直に交差することになり、補強部が形成される。
【００２５】
したがって、図１の（Ｂ）において、縦方向の衝撃に対しては前記第２の主平面部1２が対向するので潰れにくく十分な強度が得られ、横方向の衝撃に対しては前記第１の主平面部1１が対向するので潰れにくく十分な強度が得られる。
【００２６】
このようにして、異なる方向からの衝撃に対しても同じように十分な強度を持つ補強部を備えた梱包材が得られるのである。
【００２７】
なお、前記折り曲げ線と前記中芯部の波形とのなす角は、４５度に限定されるものではなく、前記折り曲げ線が前記中芯部の波形の方向と鋭角で交差していればよい。
【００２８】
本発明に用いる段ボールは、紙やパルプ由来の繊維を用いたものにかぎらず、プラスチック製の段ボールでもよい。
【００２９】
また、本発明に用いる段ボールは、中芯部の波形が１層のものに限らず、２層以上のものでもよい。
【実施例１】
【００３０】
図２は、実施例１に係る段ボール製の梱包材の使用状態を説明する断面図であり、左右一対の底付き梱包材２Ａ、２Ｂと、中抜き梱包材２Ｃとによって、保護して梱包すべき製品Ｐを、梱包用の箱３の内部空間に保持している。
【００３１】
図２において、梱包材２Ａ，２Ｂ，２Ｃは、段ボール板が、例えば７層に折り重ねられたものであり、そのうちの少なくとも１つの補強層Ｑの中芯部の波形の方向は、他の層の中芯部の波形の方向と垂直になっている。
【００３２】
図２に示すように、底付き梱包材２Ａ、２Ｂは、開口部を有する保持部２Ａ１、開口部を有しない底部２Ａ２、後述する補強片６２Ａ、６２Ｂからなる補強層Ｑを積層させて補強部を形成したものであり、側面には、後述する副平面部13Ａ、15Ａ、17Ａ、19Ａからなる側面部２Ａ３を備えている。
【００３３】
後述するように、保持部２Ａ１は開口部を有する３つの主平面部16Ａ、18Ａ、20Ａを積層させたものであり、底部２Ａ２は、開口部を有しない３つの主平面部11Ａ、12Ａ、14Ａを積層させたものである。
【００３４】
底付き梱包材２Ａ、２Ｂは、保持部２Ａ１に設けられた開口部に製品Ｐを挿入して、製品Ｐを両側から挟むように製品Ｐを保持する。
【００３５】
図３には、前記底付き梱包材２Ａの斜視図を示した。
【００３６】
図３において、梱包材２Ａの７層のうちの少なくとも１つの補強層Ｑの中芯部の波形の方向は、他の層の中芯部の波形の方向と垂直になっている。
【００３７】
図４には、前記底付き梱包材２Ａの展開図を示した。
【００３８】
図４に示したように、前記底付き梱包材２Ａを形成する１枚の段ボール板１Ａは、９箇所に設定された折り曲げ線41Ａ〜49Ａで、互いに隣接する１０枚の領域に区分され、幅の広い６つの領域11Ａ、12Ａ、14Ａ、16Ａ、18Ａ、20Ａは主平面部分となり、幅の狭い４つの領域13Ａ、15Ａ、17Ａ、19Ａは副平面部分となる。
【００３９】
前記主平面部分16Ａ、18Ａ、20Ａには、製品を挿入するための開口部51Ａ、52Ａ、53Ａが形成されている。
【００４０】
前記主平面部分11Ａ、12Ａ、14Ａ、16Ａ、18Ａ、20Ａは、図２、３においては縦向きの面となり、前記副平面部分13Ａ、15Ａ、17Ａ、19Ａは、図２、３においては横向きの面となって、前記主平面部分を互いに連結する部材となっている。
【００４１】
段ボール板１に隣接するように設けられた複数の主平面部分11Ａ、12Ａ、14Ａ、16Ａ、18Ａ、20Ａの内、最も端に設けられた主平面部分20Ａの両隅部には、それぞれ補強片61Ａ、62Ａが延設されている。
【００４２】
前記主平面部分20Ａと前記補強片61Ａ、62Ａとの境界には、当該段ボールの中芯部の波形の方向（矢印で図示した。）と４５度で交差する折り曲げ線63Ａ、64Ａが形成されている。
【００４３】
補強層Ｑをなす前記補強片61Ａ、62Ａを、それぞれ折り曲げ線63Ａ、64Ａで折り曲げて、前記主平面部分20Ａに折り重ねると、図５に示したように、補強層Ｑと主平面部分20Ａとは２重になって補強部71Ａ、72Ａが形成される。補強部71Ａ、72Ａを形成する補強層Ｑと主平面部分20Ａとは、段ボールの中芯部の波形の方向が互いに垂直な方向に交差する状態となっているので、１方向のみでなく、異なる方向からの衝撃に対して十分な強度が得られる。
【００４４】
前記補強片61Ａ、62Ａが、図２、３における補強層Ｑに対応している。
【００４５】
次に、図６を参照して、前記段ボール板１Ａから前記底付き梱包材２Ａを組み立てる手順を説明する。
【００４６】
図６の（Ａ）に示したように、一方の端から前記主平面部分11Ａ、12Ａ、13Ａ、14Ａを順次折り曲げるとともに、他方の端から前記主平面部分20Ａを矢印のように折り曲げると、図６の（Ｂ）に示したように、前記主平面部分11Ａ、12Ａ、14Ａからなる３層部分と、前記補強片61Ａ、62Ａと、前記主平面部分20Ａ、18Ａからなる３層部分とが出来上がる。この３層部分を、矢印のようにさらに折り曲げて、前記領域16Ａに重ねて、図６の（Ｃ）に示した矢印のようにさらに折り曲げることによって、図２、３に示したような、底付き梱包材２Ａ、２Ｂが組上がるのである。
【００４７】
図７には中抜き梱包材２Ｃの斜視図を示し、図８にはその展開図を示した。中抜き梱包材２Ｃを形成する１枚の段ボール板１Ｃが、前記段ボール板１Ａと異なる点は、図８と図４とを比較すると明らかなように、主平面部分11Ｃ、12Ｃ、14Ｃ、16Ｃ、18Ｃ、20Ｃの全てに、それぞれ開口部51Ｃ、52Ｃ、53Ｃ、54Ｃ、55Ｃ、56Ｃが形成されている点であり、他の点はほぼ同様な構造であるので詳細な説明は省略する。
【００４８】
前記主平面部分20Ｃの２つの隅には、補強片61Ｃ、62Ｃが延設されている。前記主平面部分20Ｃと前記補強片61Ｃ、62Ｃとの境界には、当該段ボールの中芯部の波形の方向（矢印で図示した。）と４５度で交差する折り曲げ線63Ｃ、64Ｃが形成されている。
【００４９】
前記補強片61Ｃ、62Ｃを、それぞれ折り曲げ線63Ｃ、64Ｃで折り曲げて、前記主平面部分20Ｃに折り重ねると、図９に示したように、補強片61Ｃ、62Ｃと主平面部分20Ｃとが２重になって補強部71Ｃ，72Ｃが形成される。この２重になった補強部71Ｃ，72Ｃでは、当該段ボールの中芯部の波形の方向が互いに垂直な方向に交差する状態となっているので、１方向のみでなく、異なる方向からの衝撃に対して十分な強度が得られる。
【００５０】
前記補強片61Ｃ、62Ｃが、図７における補強層Ｑに対応している。
【実施例２】
【００５１】
図１０は、実施例２に係る段ボール製の梱包材に使用する底付き梱包材を形成するための段ボール板１Ｄの展開図を示したものである。
【００５２】
この段ボール板１Ｄでは、隣接するように設けられた複数の主平面部分11Ｄ、12Ｄ、14Ｄ、16Ｄ、18Ｄ、20Ｄの内、最も端に設けられた主平面部分20Ｄの一方の隅部には、開口部を備えた補強板71Ｄが設けられている。
【００５３】
主平面部分20Ｄと補強板71Ｄの境界には、当該段ボールの中芯部の波形の方向（矢印で図示した。）と４５度で交差する折り曲げ線63Ｄが形成されている。
【００５４】
開口部５４Ｄは、別の主平面部分16Ｄ、18Ｄ、20Ｄに設けられた各開口部５１Ｄ〜５３Ｄに対応する位置に形成されている。
【００５５】
前記開口部付き補強板71Ｄを、前記折り曲げ線63Ｄで折り曲げて、前記主平面部分20Ｄに重ねると、補強層Ｑと主平面部分20Ａとは２重になって補強部が形成される。さらに主平面部分11Ｄ、12Ｄ、14Ｄ、16Ｄ、18Ｄを折り重ねると、実施例２に係る底付き梱包材が組上がる。
【００５６】
実施例２に係る底付き梱包材は、実施例１に係る底付き梱包材と比較して、補強層Ｑの面積が広いので、補強層Ｑの効果がより顕著となる。
【実施例３】
【００５７】
上記実施例１、２は、段ボール板１において、互いに隣接するように設けられた複数の主平面部分の内、最も端に設けられた主平面部分の隅部に補強片を延設するものであったが、実施例３のように、最も端に設けられた主平面部分以外に補強片を延設するものであってもよい。
【００５８】
図１１は、実施例３に係る段ボール製の梱包材に使用する底付き梱包材を形成するための段ボール板１Ｅの展開図を示したものである。
【００５９】
この段ボール板１Ｅは、主平面部分11Ｃ、12Ｃ、14Ｃ、16Ｃ、18Ｃ、20Ｃの内、最も端ではない主平面部分16Ｅを延設した部分に、当該段ボールの中芯部の波形の方向（矢印で図示した。）と４５度で交差する折り曲げ線63Ｅ，64Ｅを介して、さらに延設された補強片71Ｅ，72Ｅを備えている。
【００６０】
前記補強片71Ｅ，72Ｅを、前記折り曲げ線63Ｅ，64Ｅで折り曲げて、前記主平面部分16Ｅに重ねると、前記補強片71Ｅ，72Ｅと、前記主平面部分16Ｅとそれぞれ重ねられて２重になって補強部が形成される。この２重になった補強部では、当該段ボールの中芯部の波形の方向が互いに垂直な方向に交差する状態となっているので、１方向のみでなく、異なる方向からの衝撃に対して十分な強度が得られる。
【実施例４】
【００６１】
図１２は、実施例４に係る段ボール製の梱包材に使用する底付き梱包材を形成するための段ボール板１Ｆの展開図を示したものである。
【００６２】
この段ボール板１Ｆにおいては、主平面部分11Ｆ、12Ｆ、14Ｆ、16Ｆ、18Ｆ、20Ｆの内、最も端ではない主平面部分16Ｆを延設した部分に、当該段ボールの中芯部の波形の方向（矢印で図示した。）と４５度で交差する折り曲げ線63Ｆを介して延設された開口部付き補強板71Ｆを備えている。
【００６３】
前記開口部付き補強板71Ｆを、前記折り曲げ線63Ｆで折り曲げて、前記主平面部分16Ｆに重ねると、開口部付き補強板71Ｆと主平面部分16Ｆとが２重になって補強部が形成される。この２重になった補強部では、当該段ボールの中芯部の波形の方向が互いに垂直な方向に交差する状態となっているので、１方向のみでなく、異なる方向からの衝撃に対して十分な強度が得られる。
【実施例５】
【００６４】
図１３は、実施例５に係る段ボール製の梱包材に使用する中抜き梱包材を形成するための段ボール板１Ｇの展開図を示したものである。
【００６５】
この段ボール板１Ｇにおいては、主平面部分11Ｇの隅に、当該段ボールの中芯部の波形の方向（矢印で図示した。）と４５度で交差する折り曲げ線63Ｇを介して延設された開口部付き補強板71Ｇを備えている。
【００６６】
なお、前記主平面部分11Ｇには開口部51Ｇが形成され、前記開口部付き補強板71Ｇには開口部52Ｇが形成されている。
【００６７】
前記開口部付き補強板71Ｇを、前記折り曲げ線63Ｇで折り曲げて、前記主平面部分11Ｇに重ねると、開口部付き補強板71Ｇと主平面部分11Ｇとが２重になって補強部が形成される。この２重になった補強部では、当該段ボールの中芯部の波形の方向が互いに垂直な方向に交差する状態となっているので、１方向のみでなく、異なる方向からの衝撃に対して十分な強度が得られる。
【実施例６】
【００６８】
図１４には、実施例６としての底付き梱包材２Ｈの展開図を示した。この展開図では、前記底付き梱包材２Ｈを形成する１枚の段ボール板１Ｈの平面図を示した。
この実施例６の段ボール板１Ｈが、実施例１〜５の段ボール板と異なる点は、１つの主平面部分１４Ｈの隅に、当該段ボールの中芯部の波形の方向（矢印で図示した。）と４５度で交差する折り曲げ線６３Ｈ、６４Ｈを介して延設された補強片６１Ｈ，６２Ｈが、途中に形成された折り曲げ線６５Ｈ、６６Ｈによって、二つの部分に二つ折り可能に形成されている点である。
【００６９】
したがって、実施例６の底付き梱包材２Ｈが、実施例１〜５の梱包材と異なる点は、補強片６１Ｈ，６２Ｈが二つ折りされて２層構造となり、この２層構造の部分が、前記主平面部分１４Ｈに重ねられて３層構造の補強部が形成される点である。
【００７０】
前記折り曲げ線６５Ｈ、６６Ｈは、前記１つの主平面部分１４Ｈの隅に切り込み１５Ｈ、１６Ｈを形成し、これらの切り込み１５Ｈ、１６Ｈの先に形成したものである。なお、これらの折り曲げ線６５Ｈ、６６Ｈは、２重に折り曲げられた補強片の厚さとほぼ等しい幅に形成されている。
【００７１】
前記補強片６１Ｈ，６２Ｈは、前記折り曲げ線６５Ｈ、６６Ｈによって、開口部５４Ｈ、５５Ｈが形成された開口部付き補強板と、平面状の補強板６７Ｈ，６８Ｈの二つの部分に折り曲げ可能に形成されているので、図１５に示したように、前記平面状の補強板６７Ｈ，６８Ｈを、前記折り曲げ線６５Ｈ、６６Ｈで折り曲げて、前記開口部付き補強板に重ねることができる。
【００７２】
このようにして二つ折りして２重になった補強片６１Ｈ，６２Ｈをさらに、前記折り曲げ線６３Ｈ、６４Ｈで折り曲げると、図１６に示したように、前記主平面部分１４Ｈに重ねられて３層構造になった補強部が形成される。このようにして３層構造に形成された補強部では、二つ折りされた前記補強片６１Ｈ，６２Ｈの段ボールの中芯部の波形の方向が、前記主平面部分１４Ｈとは垂直な方向に交差する状態となっているので、１方向のみでなく、異なる方向からの衝撃に対して十分な強度が得られる。
【００７３】
そして、主平面部分１１Ｈと主平面部分１２Ｈとを折り重ねて形成した２層構造を、さらに、３層構造の前記補強部に重ねることによって、図１７に示したような底付き梱包材２Ｈが形成される。
【００７４】
図１７に示した底付き梱包材２Ｈは５層構造からなり開口部を有する３層構造の保持部と、２層構造の底部を備えている。
【００７５】
主平面部分１１Ｈ，１２Ｈは、開口部を有し、底付き梱包材２Ｈでは保持部を形成し、開口部を有しない主平面部分１４Ｈは、底付き梱包材２Ｈでは底部を形成している。
【００７６】
補強片６１Ｈ、６２Ｈは、各々開口部５４Ｈ、５５Ｈを開口部を有する部分６９Ｈ、７０Ｈと、開口部を有しない平面板６７Ｈ，６８Ｈとを有している。
【００７７】
各補強片６１Ｈ、６２Ｈは、折り曲げ線６５Ｈ，６６Ｈで折り曲げられて、底付き梱包材２Ｈでは、前記平面板６７Ｈ，６８Ｈが底部としての１層をなし、開口部を有する部分６９Ｈ、７０Ｈが保持部としての１層をなしている。
【００７８】
このように、実施例６の底付き梱包材２Ｈは、補強片を少なくとも１本の折り曲げ線で１回以上折り曲げて積層させて形成した少なくとも２層以上の複数層構造を、さらに、主平面部分と重ねることによって、少なくとも３層以上の複数構造の補強部を備えているので、１層構造の梱包材と比較して、衝撃を吸収できる強度が方向によって異なるものになることが緩和される。
【００７９】
特に、この実施例では、補強部では、前記平面状の補強板６７Ｈ、６８Ｈが前記主平面部分１４Ｈを補強しているので、図１７，１８に示したように、補強された底付き梱包材２Ｈを提供することができるのである。
【実施例７】
【００８０】
図１９には、実施例７としての中抜き梱包材２Ｊの展開図を示した。この展開図では、前記中抜き梱包材２Ｊを形成する１枚の段ボール板１Ｊの平面図を示した。
【００８１】
この実施例７の段ボール板１Ｊは、１つの主平面部分１４Ｊの隅に、当該段ボールの中芯部の波形の方向（矢印で図示した。）と４５度で交差する折り曲げ線６３Ｊ、６４Ｊを介して延設された補強片６１Ｊ，６２Ｊが、途中に形成された折り曲げ線６５Ｊ、６６Ｊによって、それぞれ二つ折り可能に形成されている点は、実施例６と同様であるが、
前記折り曲げ線６３Ｊ、６４Ｊが、実施例６のような切り込み１５Ｈ、１６Ｈを設けずに、１つの主平面部分１４Ｊの隅に形成されている点と、
補強片６１Ｊに折り曲げ可能に形成された二つの部分６７Ｊ，６９Ｊの両方にも開口部５４Ｊ、５５Ｊが形成され、
補強片６２Ｊに折り曲げ可能に形成された二つの部分６８Ｊ，７０Ｊの両方にも開口部５６Ｊ、５７Ｊが形成されている点である。
【００８２】
このようにして、前記補強片６１Ｊは、折り曲げ線６５Ｊをはさんで形成される開口部５４Ｊ，５５Ｊを有する部分６７Ｊ、６９Ｊを有し、前記補強片６２Ｊは、折り曲げ線６６Ｊをはさんで形成される開口部５６Ｊ，５７Ｊを有する部分６８Ｊ，７０Ｊを有した構成となっている。
【００８３】
そして、図２０に示したように、前記補強片６１Ｊ，６２Ｊを、それぞれ前記折り曲げ線６５Ｊ、６６Ｊで折り曲げて重ねることができる。
【００８４】
このようにして二つ折りして２重になった補強片６１Ｊ，６２Ｊをさらに、前記折り曲げ線６３Ｊ、６４Ｊで折り曲げると、図２１に示したように、前記主平面部分１４Ｊに重ねられて３層構造になった補強部が形成される。このようにして３層構造になった補強部では、二つ折りされた前記補強片６１Ｊ，６２Ｊの段ボールの中芯部の波形の方向が、前記主平面部分１４Ｊとは垂直な方向に交差する状態となっているので、１方向のみでなく、異なる方向からの衝撃に対して十分な強度が得られる。
【００８５】
そして、主平面部分１１Ｊと主平面部分１２Ｊとを折り重ねて形成された２層構造を、さらに、３層構造の前記補強部に重ねることによって、図２２に示したような底付き梱包材２Ｊが形成される。
【００８６】
図２２に示した底付き梱包材２Ｊは５層構造からなり開口部を有する３層構造の保持部と、２層構造の底部を備えている。
【００８７】
主平面部分１４Ｊは、開口部を有しているので、底付き梱包材２Ｊにおける保持部を形成し、開口部を有しない主平面部分１１Ｊ，１２Ｊは、底付き梱包材２Ｊにおける底部を形成している。
【００８８】
前記底付き梱包材２Ｊにおいては、補強片６１Ｊが折り曲げられることにより、開口部を有する部分６７Ｊ，６９Ｊが重ねられて２層構造となり、さらに前記主平面部分１４Ｊに重ねられて３層構造の保持部を形成し、
補強片６２Ｊが折り曲げられることにより、開口部を有する部分６８Ｊ，７０Ｊが重ねられて２層構造となり、さらに前記主平面部分１４Ｊに重ねられて３層構造の保持部を形成している。
【００８９】
なお、補強片に設けた折り曲げ線は１本に限らず、２本以上の複数本設けることができる。２本以上設けることによって、補強片を３層以上の複数層構造にすることができるので、主平面部分と重ねることによって４層以上の複数層構造の補強部を得ることができ、さらなる補強効果が得られる。
【産業上の利用可能性】
【００９０】
本発明に係る段ボール製の梱包材は、種々の製品の梱包に用いる梱包材や、緩衝材等に広く応用することができる。
【図面の簡単な説明】
【００９１】
【図１】本発明にかかる段ボール製の梱包材の基本構造を説明するための説明図である。
【図２】実施例１に係る段ボール製の梱包材の使用状態を説明する断面図である。
【図３】前記実施例１の底付き梱包材の斜視図である。
【図４】前記実施例１の底付き梱包材の展開図である。
【図５】図４の展開図の１部を折り曲げた状態の平面図である。
【図６】前記実施例１の底付き梱包材の組み立て説明図である。
【図７】前記実施例１の中抜き梱包材の斜視図である。
【図８】前記実施例１の中抜き梱包材の展開図である。
【図９】図４の展開図の１部を折り曲げた状態の平面図である。
【図１０】前記実施例２の底付き梱包材の展開図である。
【図１１】前記実施例３の底付き梱包材の展開図である。
【図１２】前記実施例４の底付き梱包材の展開図である。
【図１３】前記実施例５の梱包材の展開図である。
【図１４】実施例６の底付き梱包材の展開図である。
【図１５】図１４の展開図の１部を折り曲げた状態の平面図である。
【図１６】図１４の展開図の１部をさらに折り曲げた状態の斜視図である。
【図１７】図１４の展開図を組み立てた底付き梱包材の斜視図である。
【図１８】図１７の底付き梱包材の側面断面図である。
【図１９】実施例７の底付き梱包材の展開図である。
【図２０】図１４の展開図の１部を折り曲げた状態の平面図である。
【図２１】図１４の展開図の１部をさらに折り曲げた状態の斜視図である。
【図２２】図１４の展開図を組み立てた底付き梱包材の斜視図である。
【図２３】従来例の梱包材の斜視図である。
【符号の説明】
【００９２】
１  段ボール
11  第１の主平面部
12  第２の主平面部
Ａ  折り曲げ線
111  開口部
121  開口部
２  段ボール製の梱包材
２Ａ、２Ｂ  底付き梱包材
２Ｃ  中抜き梱包材
41Ａ〜49Ａ  折り曲げ線
11Ａ、12Ａ、14Ａ、16Ａ、18Ａ、20Ａ  主平面部分
51Ａ、52Ａ、53Ａ  開口部
61Ｃ、62Ｃ  補強片
63Ｃ、64Ｃ  折り曲げ線
71Ｃ，72Ｃ  補強部
１Ｄ  段ボール板
63Ｄ  折り曲げ線
71Ｄ  開口部付き補強板
１Ｅ  段ボール板
63Ｅ，64Ｅ  折り曲げ線
71Ｅ，72Ｅ  補強片
１Ｆ  段ボール板
63Ｆ  折り曲げ線
71Ｆ  開口部付き補強板
１Ｇ  段ボール板
63Ｇ  折り曲げ線
71Ｇ  開口部付き補強板
１Ｈ  段ボール板
２Ｈ  底付き梱包材
63Ｈ、６４Ｈ  折り曲げ線
6５Ｈ、６６Ｈ  折り曲げ線
１Ｊ  段ボール板
２Ｊ  底付き梱包材
63Ｊ、６４Ｊ  折り曲げ線
6５Ｊ、６６Ｊ  折り曲げ線
【図１】
2009255975.tif 000003
【図２】
2009255975.tif 000004
【図３】
2009255975.tif 000005
【図４】
2009255975.tif 000006
【図５】
2009255975.tif 000007
【図６】
2009255975.tif 000008
【図７】
2009255975.tif 000009
【図８】
2009255975.tif 000010
【図９】
2009255975.tif 000011
【図１０】
2009255975.tif 000012
【図１１】
2009255975.tif 000013
【図１２】
2009255975.tif 000014
【図１３】
2009255975.tif 000015
【図１４】
2009255975.tif 000016
【図１５】
2009255975.tif 000017
【図１６】
2009255975.tif 000018
【図１７】
2009255975.tif 000019
【図１８】
2009255975.tif 000020
【図１９】
2009255975.tif 000021
【図２０】
2009255975.tif 000022
【図２１】
2009255975.tif 000023
【図２２】
2009255975.tif 000024
【図２３】
2009255975.tif 000025